(57)【要約】【課題】区画が分けられた配線盤において、作業対象の区画を容易に把握できるとともに、作業を容易に実施できる作業対象区画システムを提供すること。【解決手段】作業対象区画システム１は、中間配線盤２１の区画ごとに配置され、区画に含まれる接続端子２１ｂを覆うカバー位置と接続端子２１ｂを露出させる待機位置の間で絶縁シート５０ｄを出し入れ可能な区画装置２３と、特定の通信装置１００が選択される操作部３８と、操作部３８の操作に基づいて区画装置２３を制御する制御盤３０と、を備える。制御盤３０は、対象の１００通信装置を特定する信号を受信すると、記憶部としての整定部３６を参照して指定された通信装置１００に対応する区画を対象区画に設定し、該対象区画に設定される周囲の区画装置２３の絶縁シート５０ｄをカバー位置に制御する。【選択図】図１
2017069864.tif 000002
【特許請求の範囲】
【請求項１】
複数の通信装置が接続され、該通信装置に対応する接続端子が複数に区画される配線盤の作業対象区画システムであって、
前記配線盤の区画ごとに配置され、前記区画に含まれる接続端子を覆うカバー位置と前記接続端子を露出させる待機位置の間で絶縁シートを出し入れ可能な区画装置と、
複数の前記通信装置から特定の前記通信装置を選択する操作部と、
前記操作部の操作に基づいて前記区画装置を制御する制御装置と、
を備え、
前記制御装置は、
複数の前記接続端子に接続される複数の前記通信装置が前記区画と関連付けて記憶されるとともに、前記区画ごとに前記カバー位置にする周囲の前記区画装置が設定される記憶部と、
対象の前記通信装置を特定する信号に基づいて前記記憶部を参照して当該通信装置に対応する前記区画を対象区画に設定し、該対象区画に設定される周囲の前記区画装置の前記絶縁シートを前記カバー位置に制御する制御部と、
を有する作業対象区画システム。
【請求項２】
対象の前記通信装置を特定する信号を受信すると点灯する表示灯を更に備え、
前記操作部は、作業が完了したことを通知する復帰ボタンを有し、
前記制御部は、前記復帰ボタンが操作されるまで点灯し続けるように前記表示灯を制御する請求項１に記載の作業対象区画システム。
【請求項３】
前記区画装置は、
前記区画の上部に配置される筐体と、
前記筐体の内部で前記絶縁シートの基端側が接続され、周面に該絶縁シートが巻き回される回転軸と、
前記絶縁シートの先端側に接続される錘部と、
前記回転軸に接続されるモータと、
を有する請求項１又は２に記載の作業対象区画システム。
【発明の詳細な説明】
【技術分野】
【０００１】
本発明は、複数の通信装置が接続され、該通信装置に対応する接続端子が複数に区画される配線盤の作業対象区画システムに関する。
【背景技術】
【０００２】
複数組の通信装置間を接続する複数の通信線を自由に配線することができるように、複数本の接続端子（金属ピン）が格子状に配置された中間配線盤が従来から知られている。例えば、特許文献１には、通信用中間配線盤の複数の接続端子がマトリクス状に配置されているものが開示されている。
【先行技術文献】
【特許文献】
【０００３】
【特許文献１】特開２００８−１７１６６４号公報
【発明の概要】
【発明が解決しようとする課題】
【０００４】
ところで、中間配線盤において、複数の接続端子は複数の区画に分けられている。そして、通信装置から延びる通信線が通信装置に予め対応付けた区画の接続端子に接続されていることがある。このような中間配線盤を用いた回線構成業務や、通信障害が発生した場合の復旧作業を行う際に、作業員は、現地で中間配線盤における作業対象となる箇所（区画）を図面等で確認するとともに、作業対象外となる箇所をビニールシートや絶縁テープ等を用いて覆って危険区画標示を行うことにより、作業対象の箇所と危険箇所とを明確にしている。
【０００５】
しかし、通信装置の数が多い変電所では、図面から作業対象の箇所を調べるだけで多大な時間を費やしている現状があった。また、中間配線盤の充電部が全て露出しているため、危険区画標示を付ける際に端子部に接触すると、通信装置の不調や誤警報等を発生させてしまうおそれがある。
【０００６】
本発明は、区画が分けられた配線盤において、作業対象の区画を容易に把握できるとともに、作業を容易に実施できる作業対象区画システムを提供することを目的とする。
【課題を解決するための手段】
【０００７】
本発明は、複数の通信装置が接続され、該通信装置に対応する接続端子が複数に区画される配線盤の作業対象区画システムであって、前記配線盤の区画ごとに配置され、前記区画に含まれる接続端子を覆うカバー位置と前記接続端子を露出させる待機位置の間で絶縁シートを出し入れ可能な区画装置と、複数の前記通信装置から特定の前記通信装置を選択する操作部と、前記操作部の操作に基づいて前記区画装置を制御する制御装置と、を備え、前記制御装置は、複数の前記接続端子に接続される複数の前記通信装置が前記区画と関連付けて記憶されるとともに、前記区画ごとに前記カバー位置にする周囲の前記区画装置が設定される記憶部と、対象の前記通信装置を特定する信号に基づいて前記記憶部を参照して当該通信装置に対応する前記区画を対象区画に設定し、該対象区画に設定される周囲の前記区画装置の前記絶縁シートを前記カバー位置に制御する制御部と、を有する作業対象区画システムに関する。
【０００８】
対象の前記通信装置を特定する信号を受信すると点灯する表示灯を更に備え、前記操作部は、作業が完了したことを通知する復帰ボタンを有し、前記制御部は、前記復帰ボタンが操作されるまで点灯し続けるように前記表示灯を制御することが好ましい。
【０００９】
前記区画装置は、前記区画の上部に配置される筐体と、前記筐体の内部で前記絶縁シートの基端側が接続され、周面に該絶縁シートが巻き回される回転軸と、前記絶縁シートの先端側に接続される錘部と、前記回転軸に接続されるモータと、を有することが好ましい。
【発明の効果】
【００１０】
本発明の作業対象区画システムによれば、区画が分けられた配線盤において、作業対象の区画を容易に把握できるとともに、作業を容易に実施できる。
【図面の簡単な説明】
【００１１】
【図１】本発明の第１実施形態の作業対象区画システムが適用される通信装置及び中間配線盤部の概略構成を示す説明図である。
【図２】通信装置と端子ブロックの対応関係及びカバー対象の整定例を示す設定テーブルである。
【図３】作業対象区画システムが備える区画装置の構成を示す説明図である。
【図４】盤番号１の中間配線盤に設けられるブロック番号（Ａ１）の端子ブロックが作業対象の場合の区画例を示す模式図である。
【図５】盤番号１の中間配線盤に設けられるブロック番号（Ｂ１）及び（Ｂ２）の端子ブロックが作業対象の場合の区画例を示す模式図である。
【図６】盤番号１の中間配線盤に設けられるブロック番号（Ｂ２）及び（Ｂ３）の端子ブロックが作業対象の場合の区画例を示す模式図である。
【図７】盤番号１の中間配線盤に設けられるブロック番号（Ｃ１）及び（Ｃ２）の端子ブロックが作業対象の場合の区画例を示す模式図である。
【図８】盤番号１の中間配線盤に設けられるブロック番号（Ｃ３）の端子ブロックが作業対象の場合の区画例を示す模式図である。
【図９】盤番号２の中間配線盤に設けられるブロック番号（Ａ１）の端子ブロックが作業対象の場合の区画例を示す模式図である。
【図１０】調査や作業を行う場合の作業の流れを示すフローチャートである。
【図１１】第１実施形態の通信装置に故障が発生した場合の作業の流れを示すフローチャートである。
【図１２】第２実施形態の作業対象区画システムが適用される通信装置及び中間配線盤部の概略構成を示す説明図である。
【図１３】第２実施形態の調査や作業を行う場合の作業の流れを示すフローチャートである。
【発明を実施するための形態】
【００１２】
以下、本発明の好ましい各実施形態について、図面を参照しながら説明する。なお、以下の説明では、複数の通信装置が接続され、該通信装置に対応する接続端子が複数に区画される配線盤としての中間配線盤に適用される作業対象区画システムを例として説明する。
【００１３】
［第１実施形態］
図１は、本発明の第１実施形態の作業対象区画システム１が適用される通信装置１００及び中間配線盤部２０の概略構成を示す説明図である。図２は、通信装置１００と端子ブロック２１ａの対応関係及びカバー対象の整定例を示す設定テーブルである。
【００１４】
まず、通信装置１００について説明する。図１に示すように、通信装置１００は、架台１１０に収容されている。第１実施形態では、通信装置１００用の架台１１０として３台の架台１１０Ａ、１１０Ｂ、１１０Ｃが用意されている。
【００１５】
架台１１０Ａ、１１０Ｂ、１１０Ｃは、それぞれ通信装置１００を３台ずつ収納可能な収納スペースを有する。架台１１０の３つの収納スペースには架台番号がそれぞれ付されている。
【００１６】
図２に示すように、架台１１０Ａの３つの収容スペースには、架台番号として（Ａ−１）、（Ａ−２）、（Ａ−３）が付されている。そして、（Ａ−１）の架台に通信装置１００が収容されている。架台１１０Ｂの３つの収容スペースには、架台番号として（Ｂ−１）、（Ｂ−２）、（Ｂ−３）が付されており、通信装置１００が（Ｂ−１）及び（Ｂ−２）のそれぞれに合計２台収容される。同様に、架台１１０Ｃの３つの収容スペースには、架台番号として（Ｃ−１）、（Ｃ−２）、（Ｃ−３）が付されており、通信装置１００が（Ｃ−１）、（Ｃ−２）、（Ｃ−３）のそれぞれに合計３台収容される。
【００１７】
複数の通信装置１００は、制御盤３０を介して中間配線盤部２０に電気的に接続されている。次に、中間配線盤部２０の構成について説明する。
【００１８】
第１実施形態の中間配線盤部２０は、２台の中間配線盤２１を備える。中間配線盤２１は、その盤面に通信装置１００に対応する複数の端子ブロック２１ａが配置される。これらの端子ブロック２１ａが個々の通信装置１００に対応する区画となる。
【００１９】
第１実施形態では、９つの端子ブロック２１ａが中間配線盤２１の盤面に３×３のマトリクス状に配置されている。第１実施形態では、２台の中間配線盤２１が用意されており、一側の中間配線盤２１には盤番号１が付されており、他側の中間配線盤２１には盤番号２が付されている。そして、複数の端子ブロック２１ａには、ブロック番号が（Ａ１）〜（Ｃ３）が付されている（図１参照）。図２に示す設定テーブルからも、架台番号（Ａ−１）、（Ｂ−１）、（Ｂ−２）、（Ｃ−１）、（Ｃ−２）、（Ｃ−３）に通信装置１００が収納されていることがわかる。
【００２０】
図２を参照して通信装置１００と端子ブロック２１ａの対応関係について説明する。架台番号（Ａ−１）に収容される通信装置１００は、盤番号１が付された中間配線盤２１のブロック番号（Ａ１）の端子ブロック２１ａに対応する。
【００２１】
架台番号（Ｂ−１）の通信装置１００は、盤番号１のブロック番号（Ｂ１）及び（Ｂ２）の端子ブロック２１ａに対応し、架台番号（Ｂ−２）の通信装置１００は、盤番号１の中間配線盤２１のブロック番号（Ｂ２）及び（Ｂ３）の端子ブロック２１ａに対応する。（Ｂ−１）、（Ｂ−２）の通信装置１００は、端子ブロック（Ｂ２）の接続端子２１ｂ群を分けて使用していることがわかる。このように、通信装置１００と中間配線盤２１との整定内容は、１つの通信装置１００で２つ以上の端子ブロック２１ａを使用することが可能であり、２つの通信装置１００で１つの端子ブロック２１ａを共用することも可能である。
【００２２】
架台番号（Ｃ−１）の通信装置１００は盤番号１の中間配線盤２１のブロック番号（Ｃ１）及び（Ｃ２）の端子ブロック２１ａに対応し、（Ｃ−１）の通信装置１００は、（Ｃ１）、（Ｃ２）の２つの区画の接続端子２１ｂを使用していることがわかる。架台番号（Ｃ−２）の通信装置１００は盤番号１の中間配線盤２１のブロック番号（Ｃ３）の端子ブロック２１ａに対応する。架台番号（Ｃ−３）の通信装置１００のみ、盤番号２の中間配線盤２１のブロック番号（Ａ１）の端子ブロック２１ａに対応する。
【００２３】
次に、中間配線盤２１の上部に配置される発光部２２と、複数の区画装置２３と、について説明する。
【００２４】
発光部２２は、通信故障を示す赤色ＬＥＤランプ２２ａと、作業対象を示す青色ＬＥＤランプ２２ｂと、の２種類の光源を有する。赤色ＬＥＤランプ２２ａは、中間配線盤２１に接続されている通信装置１００に故障が発生した場合に点灯する。青色ＬＥＤランプ２２ｂは、調査や各種の作業の対象となる中間配線盤２１である場合に点灯する。なお、図示していないが、中間配線盤部２０は、中間配線盤２１ごとに発光部２２を点灯、消灯させる制御部を備える。
【００２５】
区画装置２３は、端子ブロック２１ａの数に応じて配置される。本実施形態の区画装置２３は、中間配線盤２１の盤面における端子ブロック２１ａの上部にそれぞれ固定されている。区画装置２３の構成について説明する。
【００２６】
図３は、作業対象区画システム１が備える区画装置２３の構成を示す説明図である。図３（ａ）は区画装置２３の側面図を示し、図３（ｂ）は正面図を示す。図３（ａ）及び図３（ｂ）に示すように、区画装置２３は、シート部５０と、区画発光部５２と、を備える。
【００２７】
図３に示すように、端子ブロック２１ａは、複数の接続端子２１ｂからなる。接続端子２１ｂを覆うためのシート部５０は、筐体５０ａと、モータ５０ｂと、回転軸５０ｃと、矩形の絶縁シート５０ｄと、先端棒５０ｅとを備える。筐体５０ａは、中間配線盤２１の盤面における複数の端子ブロック２１ａの上部に固定される。
【００２８】
モータ５０ｂ及び回転軸５０ｃは、筐体５０ａに設けられる。モータ５０ｂは、回転方向を切り替えることができる。モータ５０ｂの出力軸は回転軸５０ｃに接続されており、モータ５０ｂによって回転軸５０ｃが正逆回転する。
【００２９】
絶縁シート５０ｄは、その基端部が回転軸５０ｃに接続され、その先端部に錘部としての先端棒５０ｅが固定されている。絶縁シート５０ｄは、回転軸５０ｃの周面に巻き回されている。絶縁シート５０ｄは、モータ５０ｂの駆動により回転軸５０ｃが回転させることで、端子ブロック２１ａの接続端子２１ｂをカバーするカバー位置と、端子ブロック２１ａの接続端子２１ｂを露出させる待機位置に切り替えることができる。
【００３０】
先端棒５０ｅは、待機位置では筐体５０ａの内側であって、端子ブロック２１ａの接続端子２１ｂの先端よりも盤面から離れた位置に保持される。モータ５０ｂを一側に回転させることにより、回転軸５０ｃが回転し、筐体５０ａから絶縁シート５０ｄが鉛直下方に降りていき、最終的に接続端子２１ｂの前面を覆うカバー位置となる。即ち、中間配線盤２１に相対する作業員にとって絶縁シート５０ｄが手前側に位置付けられる。先端棒５０ｅが錘として機能することで、作業中に絶縁シート５０ｄが捲れる事態が防止される。
【００３１】
カバー位置からモータ５０ｂを他側に逆回転させることにより、回転軸５０ｃが逆回転して絶縁シート５０ｄが鉛直上方に移動して筐体５０ａ内に収納される待機位置となる。このように、絶縁シート５０ｄは、緞帳のように上下する。本実施形態の絶縁シート５０ｄは、カバー位置において端子ブロック２１ａの全面をカバーできる幅及び長さに設定されている。
【００３２】
区画発光部５２は、筐体５０ａにおける手前側の面に設置されており、作業員によって外部から視認可能である。本実施形態の区画発光部５２は、通信故障を示す赤色ＬＥＤランプ５２ａと、作業対象の区画を示す青色ＬＥＤランプ５２ｂと、の２種類の光源を有する。
【００３３】
次に、区画装置２３等の各構成を制御する制御盤３０について説明する。図１に示すように、制御盤３０は、ＣＰＵ３２と、入力部３４と、整定部３６と、操作部３８と、出力部４０と、を備える。
【００３４】
ＣＰＵ３２は、作業対象区画システム１全体を制御する処理装置である。入力部３４は、通信装置１００と通信可能に電気的に接続され、通信装置１００から出力される故障信号を受信する。整定部３６は、通信装置１００と端子ブロック２１ａとの対応関係を設定した設定テーブルが保存される。第１実施形態では、図２の設定テーブルが整定部３６に記憶されている。
【００３５】
操作部３８は、タッチパネルからなり、シート部駆動用操作部材に相当するカバーボタン３８ａ及びカバー解除ボタン３８ｂと、指定パネル３８ｃと、復帰ボタン３８ｄとを備える。
【００３６】
カバーボタン３８ａは、絶縁シート５０ｄをカバー位置にするための操作部であり、タッチパネル上でボタンとして表示される。カバー解除ボタン３８ｂは、絶縁シート５０ｄを待機位置に戻すための操作部であり、タッチパネル上でボタンとして表示される。
【００３７】
指定パネル３８ｃは、複数の通信装置１００の中から調査又は作業対象の通信装置１００を指定するためのものである。指定パネル３８ｃには、通信装置１００に応じた複数のボタンが設定される。
【００３８】
復帰ボタン３８ｄは、各種の作業が終了したことをＣＰＵ３２に通知するための操作部であり、タッチパネル上でボタンとして表示される。作業員は、各種作業が完了すると復帰ボタン３８ｄを操作する。
【００３９】
例えば、通信装置１００から故障信号が送信された場合に、通信装置１００が接続される中間配線盤２１の赤色ＬＥＤランプ２２ａと、当該通信装置１００に対応する端子ブロック２１ａの区画装置２３に設けられる赤色ＬＥＤランプ５２ａと、が発光する。作業員が復旧作業を行い、作業終了後に復帰ボタン３８ｄが操作されると、赤色ＬＥＤランプ２２ａ及び赤色ＬＥＤランプ５２ａは、不具合が解消されている場合に消灯する。なお、不具合が解消されていない場合は点灯が維持される。
【００４０】
出力部４０は、発光部２２及び複数の区画装置２３にそれぞれ接続される。出力部４０からは、発光部２２及び区画装置２３を駆動させる命令が出力される。発光部２２及び区画装置２３はこの命令に基づいて動作する。
【００４１】
本実施形態のＣＰＵ３２は、入力部３４が通信装置１００から故障信号を受信した場合に、故障信号を解析して故障信号を送信した通信装置１００を特定する通信装置特定部として機能する。また、ＣＰＵ３２が特定した通信装置１００と整定部３６の設定テーブルとに基づいて、シート部５０又は区画発光部５２を駆動させる区画装置２３を決定し、区画装置２３を駆動させる駆動制御部として機能する。
【００４２】
第１実施形態の作業対象区画システム１は、上述した複数の区画装置２３と、制御盤３０と、発光部２２と、から構成される。図２に示す設定テーブルによれば、架台番号に対して、盤番号、ブロック番号、絶縁シート５０ｄで覆う端子ブロック２１ａのブロック番号が関連付けられている。なお、絶縁シート５０ｄで覆う端子ブロック２１ａのブロック番号のことを、説明の便宜上、カバー対象と称することにする。即ち、架台１１０の収納スペースに収納された通信装置１００は架台番号によって特定されることから、個々の通信装置１００に対して、盤番号、ブロック番号、カバー対象の端子ブロック２１ａが関連付けられていることになる。逆に、通信装置１００が収納されていない収納スペースの架台番号には、盤番号、ブロック番号、カバー対象が関連付けられていない。
【００４３】
次に、図４〜図９を参照しながら、図２の設定テーブルに設定される作業対象の端子ブロック２１ａに応じた区画装置２３によるカバー対象の例を説明する。図４は、盤番号１の中間配線盤２１に設けられるブロック番号（Ａ１）の端子ブロック２１ａが作業対象の場合の区画例を示す模式図である。図４に示すように、盤番号１の中間配線盤２１の隅に配置されるブロック番号（Ａ１）の端子ブロック２１ａの周りの（Ａ２）、（Ｂ１）、（Ｂ２）の端子ブロック２１ａの区画装置２３が駆動され、絶縁シート５０ｄがカバー位置となる。
【００４４】
図５は、盤番号１の中間配線盤２１に設けられるブロック番号（Ｂ１）及び（Ｂ２）の端子ブロック２１ａが作業対象の場合の区画例を示す模式図であり、図６は、盤番号１の中間配線盤２１に設けられるブロック番号（Ｂ２）及び（Ｂ３）の端子ブロック２１ａが作業対象の場合の区画例を示す模式図である。図５及び図６のいずれの場合も、盤番号１の中間配線盤２１における作業対象の端子ブロック２１ａ以外の端子ブロック２１ａに設けられる区画装置２３の絶縁シート５０ｄがカバー位置となる。
【００４５】
図７は、盤番号１の中間配線盤２１に設けられるブロック番号（Ｃ１）及び（Ｃ２）の端子ブロック２１ａが作業対象の場合の区画例を示す模式図であり、この場合は盤番号１の中間配線盤２１の（Ｂ１）、（Ｂ２）、（Ｂ３）、（Ｃ３）の端子ブロック２１ａに設けられる区画装置２３の絶縁シート５０ｄがカバー位置となる。図８は、盤番号１の中間配線盤２１に設けられるブロック番号（Ｃ３）の端子ブロック２１ａが作業対象の場合の区画例を示す模式図であり、盤番号１の中間配線盤２１の（Ｂ２）、（Ｂ３）、（Ｃ２）の端子ブロック２１ａに設けられる区画装置２３の絶縁シート５０ｄがカバー位置となる。
【００４６】
図９は、盤番号２の中間配線盤２１に設けられるブロック番号（Ａ１）の端子ブロック２１ａが作業対象の場合の区画例を示す模式図であり、盤番号２の中間配線盤２１の（Ｂ２）、（Ｂ３）、（Ｃ２）の端子ブロック２１ａに設けられる区画装置２３の絶縁シート５０ｄがカバー位置となる。第１実施形態では、図９に示す場合だけ盤番号２の中間配線盤２１の区画装置２３が駆動することになる。
【００４７】
図２に示す設定テーブルによれば、絶縁シート５０ｄで覆う端子ブロック２１ａは、作業対象となる通信装置１００が接続される端子ブロック２１ａの周囲に位置する端子ブロック２１ａに設定されていることがわかる。言い換えれば、作業対象となる通信装置１００の端子ブロック２１ａは絶縁シート５０ｄで覆わないように設定されている。
【００４８】
次に、本実施形態における作業対象区画システム１の動作について説明する。図１０は、調査や作業を行う場合の作業の流れを示すフローチャートである。まず、作業員は、調査対象又は作業対象の通信装置１００に対応する指定パネル３８ｃを操作して対象となる通信装置１００を特定する（ステップＳ１）。指定パネル３８ｃが操作されると、ＣＰＵ３２は、操作されたボタンに対応する架台番号を特定し、整定部３６の設定テーブルから盤番号及びブロック番号を取得する。
【００４９】
ステップＳ２の処理でエラーは発生することなく、ＣＰＵ３２が整定部３６の設定テーブルから盤番号及びブロック番号を適切に取得すると、出力部４０から、盤番号に対応する中間配線盤２１の発光部２２、及びブロック番号の端子ブロック２１ａに対応する区画装置２３に駆動命令を送信する。駆動命令を受信した発光部２２においては、青色ＬＥＤランプ２２ｂが点灯し、駆動命令を受信した区画装置２３においては、作業対象の青色ＬＥＤランプ５２ｂが点灯する（ステップＳ３、Ｓ４）。
【００５０】
ステップＳ２の処理で、エラーが発生した場合には作業員が、再整定を実施した後（ステップＳ５）、指定パネル３８ｃを再度操作する。エラーは、通信装置１００に対応する盤番号やブロック番号を特定できなかった場合等に発生する。例えば、通信装置１００が収納されていないスペースに対応する指定パネル３８ｃが操作された場合や、設定テーブルにおいて通信装置１００に対応する架台番号に、盤番号やブロック番号が関連付けられていない場合等に発生する。整定エラーが発生した場合に、作業員は、操作部３８のタッチパネルを操作して、設定テーブルの内容を確認し、通信装置１００と、架台番号、盤番号、ブロック番号、カバー対象との関連付けが正しいか否か確認し、正しくない部分があれば修正して設定テーブルの内容を更新する。
【００５１】
作業員は、青色ＬＥＤランプ２２ｂ、５２ｂを視認することによって、作業対象の中間配線盤２１、及び作業箇所となる区画を識別することが可能になる。以降の処理は、作業員が端子ブロック２１ａに対して作業を行うか、調査を行うかによって異なる。ステップＳ６に示すように、端子ブロック２１ａに対して作業を行う場合には、次のステップＳ７〜ステップＳ１１に示す手順を実行し、調査を行う場合には（ステップＳ６の調査）、次のステップＳ１２〜ステップＳ１３に示す手順を実行する。
【００５２】
端子ブロック２１ａに作業を行う場合について説明する。まず、作業員は、カバーボタン３８ａを操作する（ステップＳ７）。カバーボタン３８ａが操作されると、ＣＰＵ３２は、整定部３６の設定テーブルを参照して、ステップＳ１で特定した通信装置１００に対応するカバー対象を求め、カバー対象に指定されているブロック番号に対応する区画装置２３のシート部５０に、絶縁シート５０ｄを下げるように駆動させる命令信号を送信する。ＣＰＵ３２からの命令信号を受信したシート部５０が駆動することにより、絶縁シート５０ｄが下げられる。
【００５３】
図４〜図９に示すように、作業対象として選択された端子ブロック２１ａの周囲の端子ブロック２１ａが絶縁シート５０ｄによって覆われる。これにより、作業対象の端子ブロック２１ａの周囲の端子ブロック２１ａが、絶縁シート５０ｄによって覆われる。従って、作業対象として選択された端子ブロック２１ａの作業中において、隣の端子ブロック２１ａに触れてしまうことによる通信装置１００におけるノイズの発生や誤警報等の発生を防止することが可能になる。
【００５４】
作業員は、所定の作業を実施して終了した後にカバー解除ボタン３８ｂを操作すると（ステップＳ８〜ステップＳ１０）、ＣＰＵ３２は、区画した状態のシート部５０に、絶縁シート５０ｄを上げるように駆動させる命令信号を送信する。これにより、中間配線盤２１の全ての端子ブロック２１ａのカバーが解除される。作業員は、復帰ボタン３８ｄを操作することにより（ステップＳ１１）、青色ＬＥＤランプ２２ｂ及び作業対象の青色ＬＥＤランプ５２ｂが消灯する（ステップＳ１２）。
【００５５】
調査を行う場合について説明する。調査を行う場合は、カバー解除ボタン３８ｂを操作せずに、点灯している作業対象の青色ＬＥＤランプ５２ｂを確認することにより、調査対象箇所を把握することが可能になり、調査対象の端子ブロック２１ａを調査することができる（ステップＳ１３、Ｓ１４）。調査終了後、作業員は、復帰ボタン３８ｄを操作することにより（ステップＳ１１）、青色ＬＥＤランプ２２ｂ及び作業対象の青色ＬＥＤランプ５２ｂが消灯する（ステップＳ１２）。
【００５６】
次に、通信装置１００に故障が発生した場合について説明する。図１１は、第１実施形態の通信装置１００に故障が発生した場合の作業の流れを示すフローチャートである。通信装置１００が故障すると（ステップＳ２０）、通信装置１００から故障信号がＣＰＵ３２に送信され、ＣＰＵ３２は、故障信号を送信した通信装置１００を特定し、この通信装置１００に対応する架台番号に基づいて、整定部３６の設定テーブルから盤番号及びブロック番号を取得する。
【００５７】
ＣＰＵ３２は、盤番号及びブロック番号を取得すると、出力部４０から、盤番号に対応する中間配線盤２１及びブロック番号に対応する区画装置２３に駆動命令を送信する。駆動命令を受信した中間配線盤２１は、赤色ＬＥＤランプ２２ａを点灯させ、駆動命令を受信した区画装置２３は、赤色ＬＥＤランプ５２ａを点灯させる（ステップＳ２１、Ｓ２２）。
【００５８】
次に、現地到着した作業員は、赤色ＬＥＤランプ５２ａの点灯表示を確認して（ステップＳ２３）、カバーボタン３８ａを操作する（ステップＳ２４）。カバーボタン３８ａが操作されると、ＣＰＵ３２は、整定部３６の設定テーブルを参照して、ステップＳ２１で特定した通信装置１００に対応する架台番号に関連付けられているカバー対象の端子ブロック２１ａを取得し、カバー対象に指定されているブロック番号に対応するシート部５０に、絶縁シート５０ｄを下げるように駆動させる命令信号を送信する。ＣＰＵ３２からの命令信号を受信したシート部５０が駆動することにより、絶縁シート５０ｄが下げられる。これにより、作業対象の端子ブロック２１ａの周囲の端子ブロック２１ａが、絶縁シート５０ｄによって覆われる。その後、作業員は、復旧作業を実施する。
【００５９】
作業員は、復旧作業を終了した後、カバー解除ボタン３８ｂを操作すると（ステップＳ２５〜ステップＳ２７）、ＣＰＵ３２は、絶縁シート５０ｄを下げた状態のシート部５０に、絶縁シート５０ｄを上げるように駆動させる命令信号を送信する。これにより、中間配線盤２１の全ての端子ブロック２１ａが外部に露出した状態となる。そして、作業員は、復帰ボタン３８ｄを操作し（ステップＳ２８）、故障が発生した通信装置１００に対応する赤色ＬＥＤランプ５２ａの表示を確認する。作業員は、赤色ＬＥＤランプ５２ａの消灯を確認した場合に、復旧作業を完了する（ステップＳ２９）。赤色ＬＥＤランプ５２ａの点灯が継続している場合には、再度、カバーボタン３８ａを操作し、作業対象の端子ブロック２１ａの周囲の端子ブロック２１ａを絶縁シート５０ｄで覆ってから復旧作業を実施する。
【００６０】
以上説明したように、第１実施形態の作業対象区画システム１は、区画装置２３と、操作部３８と、制御装置としての制御盤３０と、を備える。区画装置２３は、中間配線盤２１の区画ごとに配置され、区画に含まれる接続端子２１ｂを覆うカバー位置と接続端子２１ｂを露出させる待機位置の間で絶縁シート５０ｄを出し入れ可能に構成される。操作部３８では、特定の通信装置１００が選択される。制御盤３０は、操作部３８の操作に基づいて区画装置２３を制御する。
【００６１】
制御盤３０は、複数の接続端子２１ｂに接続される複数の通信装置１００が区画と関連付けて記憶されるとともに、区画ごとにカバー位置にする周囲の区画装置２３が予め設定される記憶部としての整定部３６と、対象の１００通信装置を特定する信号を受信すると、整定部３６を参照して指定された通信装置１００に対応する区画を対象区画に設定し、該対象区画に設定される周囲の区画装置２３の絶縁シート５０ｄをカバー位置に制御する制御部としてのＣＰＵ３２と、を有する。
【００６２】
これにより、作業員が、中間配線盤２１において所定の作業を実施する際に操作部３８を操作することにより、対象となる通信装置１００が接続されている区画の周囲の区画が、絶縁シート５０ｄによって覆われる。このため、作業員は、絶縁シート５０ｄによって周囲が囲まれている区画が作業対象の通信装置が接続されている区画であると容易に識別及び把握することが可能になり、従来のように、図面を用いて通信装置１００が接続されている区画を調べる必要がなくなる。しかも、カバーボタン３８ａの操作によって作業対象として選択された端子ブロック２１ａの周囲の端子ブロック２１ａが絶縁シート５０ｄに覆われることになる。従って、従来のように、作業対象外となる箇所（区画）をビニールシートや絶縁テープ等を用いて覆うこと、即ち、危険区画標示を行う手間を省略することができる。更に、作業員が、作業対象外の箇所（区画）に危険区画標示を施す際に、作業対象外の接続端子２１ｂに直接触れることが防止できるため、誤接触等のヒューマンエラーの発生を防止することができる。
【００６３】
また、第１実施形態の作業対象区画システム１は、表示灯として、中間配線盤２１に配置される赤色ＬＥＤランプ２２ａ及び青色ＬＥＤランプ２２ｂと、区画装置２３のそれぞれに配置される赤色ＬＥＤランプ５２ａ及び青色ＬＥＤランプ５２ｂを備える。また、操作部３８は、作業が完了したことを通知する復帰ボタン３８ｄを有する。そして、ＣＰＵ３２は、復帰ボタン３８ｄが操作されるまで点灯し続けるように赤色ＬＥＤランプ２２ａ及び赤色ＬＥＤランプ５２ａ又は青色ＬＥＤランプ２２ｂ及び青色ＬＥＤランプ５２ｂを制御する。これにより、赤色ＬＥＤランプ２２ａ及び赤色ＬＥＤランプ５２ａ又は青色ＬＥＤランプ２２ｂ及び青色ＬＥＤランプ５２ｂによって迅速かつ確実に作業対象の区画を判別できる。
【００６４】
区画装置２３は、区画の上部に配置される筐体５０ａと、筐体５０ａの内部で絶縁シート５０ｄの基端側が接続され、周面に該絶縁シート５０ｄが巻き回される回転軸５０ｃと、絶縁シート５０ｄの先端側に接続される錘部としての先端棒５０ｅと、回転軸５０ｃに接続されるモータ５０ｂと、を有する。これにより、絶縁シート５０ｄを出し入れする構成をシンプルな構造で実現できる。更に、錘部としての先端棒５０ｅによって作業中に絶縁シート５０ｄが捲れる事態が防止される。
【００６５】
次に、第２実施形態の作業対象区画システム１について説明する。なお、第１実施形態と同様の構成については同じ符号を付してその説明を省略することがある。
【００６６】
［第２実施形態］
図１２は、第２実施形態の作業対象区画システム１が適用される通信装置１００及び中間配線盤部２０の概略構成を示す説明図である。なお、図１２では、２台の中間配線盤２１のうち、盤番号２の中間配線盤２１の図示を省略している。第２実施形態における作業対象区画システム１は、第１実施形態における作業対象区画システム１に対して更に指定入力部１０を備える。
【００６７】
また、第２実施形態における作業対象区画システム１は、第１実施形態における作業対象区画システム１と比較して、指定パネル３８ｃ及び復帰ボタン３８ｄが省略されている点等ことなっている。
【００６８】
指定入力部１０は、作業対象の通信装置１００を指定する複数のプッシュボタン１２を備える。本実施形態によれば、指定入力部１０は、通信装置１００を収納する架台１１０の下部に設けられており、プッシュボタン（ＰＢ）１２は、架台１１０が有する通信装置１００の収納スペースの数だけ設けられている。
【００６９】
指定入力部１０は入力部３４に接続されており、作業員がプッシュボタン１２を操作することにより、指定入力部１０から制御盤３０の入力部３４に対して、操作信号が送信される。制御盤３０においては、ＣＰＵ３２が、入力部３４が受信した操作信号に基づいて、操作信号に対応する通信装置１００を特定する。
【００７０】
即ち、指定入力部１０は、指定パネル３８ｃと同様に機能するものであり、言い換えれば、指定パネル３８ｃとして機能する複数のプッシュボタン１２を、通信装置１００の近傍に設置したものである。このため、指定入力部１０のプッシュボタン１２を操作することにより、プッシュボタン１２に対応する通信装置１００の通信線が接続されている区画に設置された区画装置２３において、作業対象の青色ＬＥＤランプ５２ｂが点灯する。更に、カバーボタン３８ａを操作することにより、作業対象の青色ＬＥＤランプ５２ｂが点灯した区画の周囲の区画が絶縁シート２４ｄによって覆われる。
【００７１】
図１３は、第２実施形態の作業対象区画システム１によって、調査や作業を行う場合の作業の流れを示すフローチャートである。まず、作業員は、作業対象又は調査対象の通信装置１００に対応する指定入力部１０のプッシュボタン１２を操作する（ステップＳ３１）。
【００７２】
プッシュボタン１２が押下されると、ＣＰＵ３２は、押下されたプッシュボタン１２に対応する架台番号を特定し、整定部３６の設定テーブルから盤番号及びブロック番号を取得する（ステップＳ３２のＮ）。ここで、整定エラーが発生した場合には（ステップＳ３２のＹ）、作業員が、再整定を実施した後（ステップＳ３５）、プッシュボタン１２を操作する。
【００７３】
ＣＰＵ３２は、盤番号及びブロック番号を取得すると、出力部４０から、盤番号に対応する中間配線盤２１の発光部２２、及びブロック番号の端子ブロック２１ａに対応する区画装置２３に駆動命令を送信する。駆動命令を受信した発光部２２においては、青色ＬＥＤランプ２２ｂが点灯し、駆動命令を受信した区画装置２３においては、作業対象の青色ＬＥＤランプ５２ｂが点灯する（ステップＳ３３、Ｓ３４）。
【００７４】
次に作業員は、これから作業を行う場合には（ステップＳ３６の作業）、次のステップＳ３７〜ステップＳ４０に示す手順を実行する。調査を行う場合には（ステップＳ３６の調査）、次のステップＳ４１〜ステップＳ４３に示す手順を実行する。
【００７５】
作業を行う場合、まず、作業員は、カバーボタン３８ａを操作する（ステップＳ３７）。カバーボタン３８ａが操作されると、プッシュボタン１２の押下によって指定された通信装置１００が接続されている端子ブロック２１ａの周囲の端子ブロック２１ａが、絶縁シート５０ｄによって覆われる。
【００７６】
作業員は、所定の作業を実施して終了した後にカバー解除ボタン３８ｂを操作すると（ステップＳ３８〜ステップＳ４０）、ＣＰＵ３２は、区画した状態のシート部５０に、絶縁シート５０ｄを上げるように駆動させる命令信号、及び青色ＬＥＤランプ２２ｂ及び作業対象の青色ＬＥＤランプ５２ｂを消灯させる命令信号を送信する。これにより、青色ＬＥＤランプ２２ｂ及び作業対象の青色ＬＥＤランプ５２ｂが消灯する（ステップＳ４４）。
【００７７】
調査を行う場合には、カバー解除ボタン３８ｂを操作せずに、点灯している作業対象の青色ＬＥＤランプ５２ｂを確認することにより、調査対象箇所を把握することが可能になり、調査対象の端子ブロック２１ａを調査することができる（ステップＳ４１、Ｓ４２）。ここで、ＣＰＵ３２は、指定入力部１０からプッシュボタン１２の操作信号を受信してからの時間を計数しており、ＣＰＵ３２がプッシュボタン１２の操作信号を受信してから一定時間が経過すると、ＣＰＵ３２は、青色ＬＥＤランプ２２ｂ及び作業対象の青色ＬＥＤランプ５２ｂを消灯させる命令信号を送信し、青色ＬＥＤランプ２２ｂ及び作業対象の青色ＬＥＤランプ５２ｂが消灯する（ステップＳ４３、Ｓ４４）。
【００７８】
このように第２実施形態においても、作業員が通信装置１００で作業を行う際に、作業対象の通信装置１００に対応するプッシュボタン１２を操作しておくことで、青色ＬＥＤランプ５２ｂによって作業対象の通信装置１００に対応する区画を容易に把握できる。
【００７９】
以上、本発明の実施形態について説明したが、上記実施形態の構成に限定されるわけではない。例えば、本発明の作業対象区画システム１に係る区画装置２３と同様の区画装置を、通信装置１００側の設備、例えば、架台ごとや通信装置の制御案（図示省略）に設ける構成としてもよい。作業員が通信装置１００を指定する周囲の通信装置１００に設けられた区画装置からシートが出て指定していない他の通信装置１００を覆う。これにより、通信装置１００側の作業において、作業員が制御盤（図示せず）に触れることによる誤動作や作業ミスの発生を防止することが可能になる。
【００８０】
また、故障検知時には、故障状態が復旧されるまで絶縁シート５０ｄがカバー位置に留まり続けるようにしてもよい。これにより、作業対象の端子ブロック２１ａを区別できる状況が保持されることになり、異なる作業員が作業にあたる場合でも迅速に作業に取り掛かることができる。
【００８１】
また、上記実施形態の構成から発光部２２及び区画発光部５２の構成を省略することもできる。この場合でも、通信装置１００が指定されると、作業対象の端子ブロック２１ａの周囲の区画装置２３では絶縁シート５０ｄがカバー位置となるので、カバー位置となっていない区画装置２３から作業対象の端子ブロック２１ａを区別できる。
【００８２】
また、中間配線盤２１に設けられる端子ブロック２１ａの数は、上記実施形態の数に限定されるわけではなく、事情に応じて適宜変更できる。また、上記実施形態では中間配線盤２１が２つある構成を例として説明しているが、中間配線盤２１の数も１つ又は３つ以上等、事情に応じて適宜変更できる。
【符号の説明】
【００８３】
１  作業対象区画システム
２１  中間配線盤（配線盤）
２１ｂ  接続端子
２２ａ  赤色ＬＥＤランプ（表示灯）
２２ｂ  青色ＬＥＤランプ（表示灯）
２３  区画装置
３０  制御盤（制御装置）
３２  ＣＰＵ（制御部）
３６  整定部（記憶部）
３８  操作部
３８ｃ  復帰ボタン
５０ａ  筐体
５０ｃ  回転軸
５０ｅ  先端棒（錘部）
５２ａ  赤色ＬＥＤランプ（表示灯）
５２ｂ  青色ＬＥＤランプ（表示灯）
【図１】
2017069864.tif 000003
【図２】
2017069864.tif 000004
【図３】
2017069864.tif 000005
【図４】
2017069864.tif 000006
【図５】
2017069864.tif 000007
【図６】
2017069864.tif 000008
【図７】
2017069864.tif 000009
【図８】
2017069864.tif 000010
【図９】
2017069864.tif 000011
【図１０】
2017069864.tif 000012
【図１１】
2017069864.tif 000013
【図１２】
2017069864.tif 000014
【図１３】
2017069864.tif 000015